(57)【要約】【課題】横移乗が容易であり、折り畳んだときの前後幅が小さな浴室用折り畳み椅子を提供する。【解決手段】浴室用折り畳み椅子１は、第１フレーム１０と、第２フレーム２０と、座部３０と、座部３０よりも下方において、第１フレーム１０の中途部１２と第２フレーム２０の上部２２とを相対回転自在に連結する第１連結軸７１とを備えている。開脚した状態のときに側方から見て、第１フレーム１０の中途部１２は水平線Ｈから傾いている。開脚した状態のときに側方から見て、第１フレーム１０の中途部１２の水平線Ｈからの傾斜角度θ２は、第１フレーム１０の下部１１の水平線Ｈからの傾斜角度θ１よりも小さく、かつ、第１フレーム１０の上部１３の水平線Ｈからの傾斜角度θ３よりも小さい。【選択図】図５
2015217004.tif 000002
【特許請求の範囲】
【請求項１】
前斜め下向きに延びる下部と、前記下部から後斜め上向きに延びる中途部と、前記中途部から後斜め上向きに延びる上部と、を有する左右一対の第１フレームと、
後斜め下向きに延びる下部と、前記下部から前斜め上向きに延びる上部と、を有する左右一対の第２フレームと、
前記第１フレームおよび前記第２フレームの少なくとも一方に支持される座部と、
前記座部よりも下方において、前記第１フレームの中途部と前記第２フレームの上部とを相対回転自在に連結する水平な第１連結軸と、を備え、
前記第１フレームの下部と前記第２フレームの下部とが接近するように前記第１フレームおよび前記第２フレームを相対回転させることによって折り畳まれ、前記第１フレームの下部と前記第２フレームの下部とが離反するように前記第１フレームおよび前記第２フレームを相対回転させることによって開脚される浴室用折り畳み椅子であって、
開脚した状態のときに側方から見て、前記第１フレームの中途部は水平線から傾いており、
開脚した状態のときに側方から見て、前記第１フレームの中途部の水平線からの傾斜角度は、前記第１フレームの下部の水平線からの傾斜角度よりも小さく、かつ、前記第１フレームの上部の水平線からの傾斜角度よりも小さい、浴室用折り畳み椅子。
【請求項２】
開脚した状態のときに側方から見て、前記第２フレームの上部は水平線から傾いている、請求項１に記載の浴室用折り畳み椅子。
【請求項３】
開脚した状態のときに側方から見て、前記第１フレームの中途部と前記第２フレームの上部とはＸ状に交差している、請求項１または２に記載の浴室用折り畳み椅子。
【請求項４】
開脚した状態のときに、前記第１フレームの中途部は前記座部よりも下方に位置する、請求項１〜３のいずれか一つに記載の浴室用折り畳み椅子。
【請求項５】
左の第１フレームの中途部と右の第１フレームの中途部とに架け渡され、開脚した状態のときに前記座部を支持する第１水平軸と、
左の第２フレームの上部と右の第２フレームの上部とに架け渡され、開脚した状態のときに前記座部を支持する第２水平軸と、を備え、
前記左右の第２フレームの上部は、開脚した状態のときに前記座部から下方に離間する離間部を有し、
前記離間部の上に設けられ、開脚した状態のときに前記第１水平軸、前記座部、または前記第１フレームの中途部を支持する補強部材を備えた、請求項１〜４のいずれか一つに記載の浴室用折り畳み椅子。
【請求項６】
前記座部と、前記第１フレームおよび前記第２フレームのうちの一方のフレームとを回転自在に連結する水平な第２連結軸と、
前記第１フレームおよび前記第２フレームのうちの他方のフレームから左右方向に延びるリンクバーと、
一端部が前記リンクバーに回転自在に連結され、他端部が水平な第３連結軸を介して前記座部に回転自在に連結され、前記一方のフレームに対する前記座部の回転と、前記第１連結軸回りの前記第１フレームおよび前記第２フレームの相対回転とを連動させるリンクと、
を備えた、請求項１〜５のいずれか一つに記載の浴室用折り畳み椅子。
【請求項７】
前記第３連結軸は、開脚した状態のときに側方から見て、前記第１連結軸と前記第２連結軸と前記リンクバーとを頂点とする三角形の外側に位置し、折り畳まれた状態のときに側方から見て、前記三角形の内側に位置するように配置されている、請求項６に記載の浴室用折り畳み椅子。
【請求項８】
前記リンクには、折り畳まれた状態のときに側方から見て、前記座部の下部と反対側に凹んだ凹部が形成されている、請求項６または７に記載の浴室用折り畳み椅子。
【請求項９】
前記第２連結軸は、前記座部と前記第２フレームとを回転自在に連結し、
前記リンクバーは、前記第１フレームから左右方向に延びており、
前記座部は、折り畳まれた状態のときに前記座部の座面が前方を向くように構成されている、請求項６〜８のいずれか一つに記載の浴室用折り畳み椅子。
【請求項１０】
左の第１フレームの上部と右の第１フレームの上部とに架け渡された横フレームと、
前記横フレームに設けられた背もたれと、
前記座部の後端部に設けられた把手と、を備え、
前記背もたれの下端部には、上方に凹んだ凹部が形成されている、請求項９に記載の浴室用折り畳み椅子。
【請求項１１】
左の第１フレームの上部と右の第１フレームの上部とに架け渡された横フレームと、
前記横フレームに設けられた背もたれと、を備え、
前記背もたれは、折り畳まれた状態のときに前記座部の上端が前記背もたれの下端よりも低くなるように構成されている、請求項１〜９のいずれか一つに記載の浴室用折り畳み椅子。
【請求項１２】
前記座部は、折り畳まれた状態のときに側方から見て鉛直に延びるように構成されている、請求項１〜１１のいずれか一つに記載の浴室用折り畳み椅子。
【請求項１３】
前記第１フレームの上部に水平軸回りに回転可能に取り付けられた肘掛けを備え、
前記座部の左後部および右後部に、左右方向の中央側に凹み、折り畳みのときに前記肘掛けを逃がす凹部が形成されている、請求項１〜１２のいずれか一つに記載の浴室用折り畳み椅子。
【請求項１４】
前記第１フレームの下部および前記第２フレームの下部は、伸縮自在に形成されている、請求項１〜１３のいずれか一つに記載の浴室用折り畳み椅子。
【発明の詳細な説明】
【技術分野】
【０００１】
本発明は、浴室用折り畳み椅子に関する。
【背景技術】
【０００２】
浴室は狭いため、浴室内で使用される椅子として、不使用時に折り畳んでコンパクトにできる折り畳み椅子がよく用いられている。
【０００３】
折り畳み可能な椅子として、図１２に示すような椅子１００が知られている。この椅子１００は、前斜め下向きに延びる左右一対の第１フレーム１０１と、後斜め下向きに延びる左右一対の第２フレーム１０２と、第１フレーム１０１および第２フレーム１０２に支持される座部１０３とを備え、第１フレーム１０１と第２フレーム１０２とが水平な連結軸１０４により相対回転可能に構成されている。このような折り畳み椅子１００では、側方から見て、第１フレーム１０１の中途部１０１ａが座部１０３の前後方向のほぼ中央部を斜めに横切る。
【０００４】
浴室用折り畳み椅子の主な利用者は、足腰の弱い高齢者や要介護者などである。そのため、利用者は、座部１０３の上に側方から腰掛けたり、座部１０３から側方に立ち上がったりすることがある。すなわち、いわゆる横移乗を行うことがある。上記折り畳み椅子１００では、横移乗時に第１フレーム１０１の中途部１０１ａが邪魔になってしまうという問題がある。
【０００５】
そこで、従来、特許文献１および２に記載されているように、第１フレームの中途部が水平に延びるように形成された浴室用折り畳み椅子が用いられている。特許文献１および２に記載された浴室用折り畳み椅子は、前斜め下向きに延びる下部と、下部から水平後ろ向きに延びる中途部と、中途部から後斜め上向きに延びる上部とを有する左右一対の第１フレームと、後斜め下向きに延びる下部と、下部から水平前向きに延びる上部とを有する左右一対の第２フレームとを備え、第１フレームの中途部と第２フレームの上部とが水平な連結軸により相対回転可能に連結されている。このような構成により、横移乗のときに第１フレームの中途部が邪魔にならないので、高齢者や要介護者が利用しやすくなる。
【先行技術文献】
【特許文献】
【０００６】
【特許文献１】特許第４９７２４６４号公報
【特許文献２】特許第５３４２９６７号公報
【発明の概要】
【発明が解決しようとする課題】
【０００７】
特許文献１および２に記載された浴室用折り畳み椅子では、不使用時には折り畳むことによって前後幅を小さくすることができ、コンパクトになる。しかし、浴室は狭いため、折り畳んだときの前後幅を従来以上に小さくできれば更に好ましい。
【０００８】
本発明はかかる点に鑑みてなされたものであり、その目的は、横移乗が容易であり、折り畳んだときの前後幅が小さな浴室用折り畳み椅子を提供することである。
【課題を解決するための手段】
【０００９】
本発明に係る浴室用折り畳み椅子は、前斜め下向きに延びる下部と、前記下部から後斜め上向きに延びる中途部と、前記中途部から後斜め上向きに延びる上部と、を有する左右一対の第１フレームと、後斜め下向きに延びる下部と、前記下部から前斜め上向きに延びる上部と、を有する左右一対の第２フレームと、前記第１フレームおよび前記第２フレームの少なくとも一方に支持される座部と、前記座部よりも下方において、前記第１フレームの中途部と前記第２フレームの上部とを相対回転自在に連結する水平な第１連結軸と、を備え、前記第１フレームの下部と前記第２フレームの下部とが接近するように前記第１フレームおよび前記第２フレームを相対回転させることによって折り畳まれ、前記第１フレームの下部と前記第２フレームの下部とが離反するように前記第１フレームおよび前記第２フレームを相対回転させることによって開脚される浴室用折り畳み椅子である。開脚した状態のときに側方から見て、前記第１フレームの中途部は水平線から傾いている。開脚した状態のときに側方から見て、前記第１フレームの中途部の水平線からの傾斜角度は、前記第１フレームの下部の水平線からの傾斜角度よりも小さく、かつ、前記第１フレームの上部の水平線からの傾斜角度よりも小さい。
【００１０】
上記浴室用折り畳み椅子によれば、開脚した状態のときに側方から見て、第１フレームの中途部は水平線から傾いている。そのため、第１フレームの中途部が水平に延びる従来の浴室用折り畳み椅子に比べて、折り畳んだときの前後幅を小さくすることができる。また、上記浴室用折り畳み椅子によれば、第１フレームの中途部と第２フレームの上部とを相対回転自在に連結する第１連結軸は座部よりも下方に配置され、更に、開脚した状態のときに側方から見て、第１フレームの中途部の水平線からの傾斜角度（なお、ここでいう「水平線からの傾斜角度」とは、水平線に対してなす２つの角のうち、９０度以下の方の角度をいうものとする。）は、第１フレームの下部の水平線からの傾斜角度よりも小さく、かつ、第１フレームの上部の水平線からの傾斜角度よりも小さい。そのため、第１フレームの下部、中途部、および上部の水平線からの傾斜角度が等しい従来の浴室用折り畳み椅子（図１２参照）に比べて、横移乗のときに第１フレームの中途部が邪魔になりにくい。よって、横移乗が容易である。
【００１１】
本発明の好ましい一態様によれば、開脚した状態のときに側方から見て、前記第２フレームの上部は水平線から傾いている。
【００１２】
上記態様によれば、第２フレームの上部が水平に延びる浴室用折り畳み椅子に比べて、折り畳んだときの前後幅を小さくすることができる。
【００１３】
本発明の好ましい他の一態様によれば、開脚した状態のときに側方から見て、前記第１フレームの中途部と前記第２フレームの上部とはＸ状に交差している。
【００１４】
上記態様によれば、折り畳んだときの第１フレームの前後幅および第２フレームの前後幅を小さくすることができる。したがって、折り畳んだときの浴室用折り畳み椅子の前後幅を小さくすることができる。
【００１５】
本発明の好ましい他の一態様によれば、開脚した状態のときに、前記第１フレームの中途部は前記座部よりも下方に位置する。
【００１６】
上記態様によれば、横移乗のときに第１フレームの中途部が邪魔になることがない。
【００１７】
本発明の好ましい他の一態様によれば、左の第１フレームの中途部と右の第１フレームの中途部とに架け渡され、開脚した状態のときに前記座部を支持する第１水平軸と、左の第２フレームの上部と右の第２フレームの上部とに架け渡され、開脚した状態のときに前記座部を支持する第２水平軸と、を備える。前記左右の第２フレームの上部は、開脚した状態のときに前記座部から下方に離間する離間部を有する。前記離間部の上に設けられ、開脚した状態のときに前記第１水平軸、前記座部、または前記第１フレームの中途部を支持する補強部材を備える。
【００１８】
上記態様によれば、第２フレームの離間部は座部から下方に離間しているので、座部を直接支持することはできない。しかし、離間部の上には、補強部材が設けられている。そのため、第２フレームの離間部は、補強部材を介して、第１水平軸、座部、または第１フレームの中途部を間接的に支持することができる。よって、上記態様によれば、第１水平軸および第２水平軸だけでなく、第２フレームの離間部によっても座部を支持することができる。したがって、座部を安定して支持することができるので、浴室用折り畳み椅子の安定性を向上させることができる。
【００１９】
本発明の好ましい他の一態様によれば、前記座部と、前記第１フレームおよび前記第２フレームのうちの一方のフレームとを回転自在に連結する水平な第２連結軸と、前記第１フレームおよび前記第２フレームのうちの他方のフレームから左右方向に延びるリンクバーと、一端部が前記リンクバーに回転自在に連結され、他端部が水平な第３連結軸を介して前記座部に回転自在に連結され、前記一方のフレームに対する前記座部の回転と、前記第１連結軸回りの前記第１フレームおよび前記第２フレームの相対回転とを連動させるリンクと、を備える。
【００２０】
上記態様によれば、第１フレームと第２フレームとの相対回転と、座部の回転とを連動させることができる。したがって、座部を回転させることにより、第１フレームと第２フレームとを相対回転させることができ、浴室用折り畳み椅子の折り畳みおよび開脚が可能となる。よって、浴室用折り畳み椅子の折り畳みおよび開脚の操作が容易になる。
【００２１】
本発明の好ましい他の一態様によれば、前記第３連結軸は、開脚した状態のときに側方から見て、前記第１連結軸と前記第２連結軸と前記リンクバーとを頂点とする三角形の外側に位置し、折り畳まれた状態のときに側方から見て、前記三角形の内側に位置するように配置されている。
【００２２】
折り畳んだ状態のときに上方から座部に力が加えられると、第１フレームおよび第２フレームには、側方から見て第２連結軸とリンクバーとをつなぐ線分から第３連結軸が離れるような力が作用する。上記態様によれば、折り畳まれた状態のときに側方から見て、第３連結軸は、第１連結軸と第２連結軸とリンクバーとを頂点とする三角形の内側に位置する。そのため、折り畳まれた状態のときに上方から座部に力が加えられた場合、第３連結軸が上記線分を横切って上記三角形の外側に移動することが阻止される。よって、折り畳まれた状態のときに、例えば利用者が座部にもたれかかる等により、意図せずに上方から座部に力が加えられたとしても、浴室用折り畳み椅子が開脚してしまうことがない。したがって、浴室用折り畳み椅子が不意に開脚してしまうことを防止することができる。
【００２３】
本発明の好ましい他の一態様によれば、前記リンクには、折り畳まれた状態のときに側方から見て、前記座部の下部と反対側に凹んだ凹部が形成されている。
【００２４】
上記態様によれば、折り畳まれたときに座部の下端部がリンクの凹部に入り込むことができるので、座部の下端部とリンクとの干渉を避けることができる。よって、折り畳んだ状態の座部の姿勢をより鉛直に近づけることができる。したがって、折り畳んだときの折り畳み椅子の前後幅を更に小さくすることができる。
【００２５】
本発明の好ましい他の一態様によれば、前記第２連結軸は、前記座部と前記第２フレームとを回転自在に連結している。前記リンクバーは、前記第１フレームから左右方向に延びている。前記座部は、折り畳まれた状態のときに前記座部の座面が前方を向くように構成されている。
【００２６】
上記態様によれば、前述の効果を奏し、折り畳んだときに座部の座面が前方を向く浴室用折り畳み椅子を得ることができる。
【００２７】
本発明の好ましい他の一態様によれば、左の第１フレームの上部と右の第１フレームの上部とに架け渡された横フレームと、前記横フレームに設けられた背もたれと、前記座部の後端部に設けられた把手と、を備える。前記背もたれの下端部には、上方に凹んだ凹部が形成されている。
【００２８】
上記態様によれば、把手を握って座部の後端部を持ち上げることにより、浴室用折り畳み椅子を折り畳むことができる。この際、背もたれの下端部には上方に凹んだ凹部が形成されているので、把手を握った手が背もたれと干渉することを容易に避けることができる。よって、浴室用折り畳み椅子を円滑に折り畳むことができる。
【００２９】
本発明の好ましい他の一態様によれば、左の第１フレームの上部と右の第１フレームの上部とに架け渡された横フレームと、前記横フレームに設けられた背もたれと、を備える。前記背もたれは、折り畳まれた状態のときに前記座部の上端が前記背もたれの下端よりも低くなるように構成されている。
【００３０】
上記態様によれば、折り畳んだときに座部と背もたれとが干渉することを避けることができる。よって、背もたれに邪魔されることなく、折り畳んだときの座部の姿勢を鉛直に近づけることができる。したがって、折り畳んだときの折り畳み椅子の前後幅を更に小さくすることができる。
【００３１】
本発明の好ましい他の一態様によれば、前記座部は、折り畳まれた状態のときに側方から見て鉛直に延びるように構成されている。
【００３２】
上記態様によれば、折り畳んだときの折り畳み椅子の前後幅を小さくすることができる。なお、ここでいう「鉛直に延びる」には、完全な鉛直だけでなく、鉛直線から多少傾いた場合（実質的に鉛直に延びる場合）も含まれる。
【００３３】
本発明の好ましい他の一態様によれば、前記第１フレームの上部に水平軸回りに回転可能に取り付けられた肘掛けを備える。前記座部の左後部および右後部に、左右方向の中央側に凹み、折り畳みのときに前記肘掛けを逃がす凹部が形成されている。
【００３４】
上記態様によれば、折り畳みのときに肘掛けが座部に干渉しないので、折り畳み椅子を円滑に折り畳むことができる。
【００３５】
本発明の好ましい他の一態様によれば、前記第１フレームの下部および前記第２フレームの下部は、伸縮自在に形成されている。
【００３６】
上記態様によれば、第１フレームの下部および第２フレームの下部を伸縮させることにより、座部の高さを調整することができる。利用者の体格に応じて座部の高さを調整することにより、浴室用折り畳み椅子の利便性を向上させることができる。なお、開脚した状態のときに側方から見て、第１フレームの下部の水平線からの傾斜角度は、第１フレームの中途部の水平線からの傾斜角度よりも大きい。第１フレームの下部の水平線からの傾斜角度が大きいので、開脚した状態のときに第１フレームの下部を伸ばした場合に、浴室用折り畳み椅子の前後幅が過度に大きくなることを避けることができる。
【発明の効果】
【００３７】
以上のように、本発明によれば、横移乗が容易であり、折り畳んだときの前後幅が小さな浴室用折り畳み椅子を提供することができる。
【図面の簡単な説明】
【００３８】
【図１】本発明の実施形態に係る浴室用折り畳み椅子の斜視図である。
【図２】上記浴室用折り畳み椅子の正面図である。
【図３】上記浴室用折り畳み椅子の背面図である。
【図４】上記浴室用折り畳み椅子の平面図である。
【図５】開脚した状態の上記浴室用折り畳み椅子の側面図である。
【図６】折り畳まれた状態の上記浴室用折り畳み椅子の側面図である。
【図７】上記浴室用折り畳み椅子の斜視図である。
【図８】上記浴室用折り畳み椅子の斜視図である。
【図９】リンクの拡大図である。
【図１０】プレートの拡大図である。
【図１１】（ａ）〜（ｅ）は、折り畳みのときの第１フレーム、第２フレーム、座部、およびリンクの動きを順に示す概念図である。
【図１２】従来の椅子を模式的に側面図である。
【発明を実施するための形態】
【００３９】
以下、図面を参照しながら、本発明の実施の形態を説明する。図１は、本実施形態に係る浴室用折り畳み椅子１の斜視図である。浴室用折り畳み椅子１は、主に浴室内において、高齢者や要介護者等がシャワーを浴びるとき等に利用される。ただし、浴室用折り畳み椅子１の使用場所は浴室に限定されず、また、利用対象者は高齢者または要介護者に限定される訳ではない。図２、図３、図４は、それぞれ浴室用折り畳み椅子１の正面図、背面図、平面図である。浴室用折り畳み椅子１は開脚した状態で使用され、非使用時には折り畳んでコンパクトにすることができる。図５、図６は、それぞれ浴室用折り畳み椅子１の開脚した状態、折り畳んだ状態の左側面図である。以下、浴室用折り畳み椅子１のことを単に椅子１と称することとする。
【００４０】
図１〜図６に示すように、椅子１は、左右一対の第１フレーム１０と、左右一対の第２フレーム２０と、これら第１フレーム１０および第２フレーム２０によって支持される座部３０と、背もたれ４０と、左右一対の肘掛け５０とを備えている。
【００４１】
左の第１フレーム１０と右の第１フレーム１０とは、左右対称の形状を有している。図１に示すように、第１フレーム１０は、前斜め下向きに延びる下部１１と、下部１１から後斜め上向きに延びる中途部１２と、中途部１２から後斜め上向きに延びる上部１３とを有している。下部１１は前脚を構成している。図３に示すように、左の第１フレーム１０の上部１３と右の第１フレーム１０の上部１３との間には、横フレーム１９が架け渡されている。左の第１フレーム１０と右の第１フレーム１０と横フレーム１９とは別体であってもよいが、本実施形態では一体的に形成されている。
【００４２】
図５に示すように、開脚した状態のときに側方から見て、第１フレーム１０の中途部１２は、水平線Ｈから傾いている。開脚した状態のときに側方から見て、第１フレーム１０の中途部１２の水平線Ｈからの傾斜角度θ２は、下部１１の水平線Ｈからの傾斜角度θ１よりも小さく、かつ、上部１３の水平線Ｈからの傾斜角度θ３よりも小さい。なお、中途部１２が水平線Ｈとなす角は２つ存在するが、本明細書において「水平線からの傾斜角度」とは、水平線に対してなす２つの角のうち、９０度以下の方の角度をいうものとする。また、中途部１２が水平線Ｈとなす角は、中途部１２の軸心が水平線Ｈとなす角をいう。中途部１２が水平線Ｈとなす角が中途部１２の部分毎に異なる場合（例えば、中途部１２が湾曲している場合）には、「傾斜角度」は中途部１２全体の平均の傾斜角度を意味するものとする。以上のことは、第１フレーム１０の下部１１および上部１３についても同様である。また、後述する第２フレーム２０についても同様である。
【００４３】
第１フレーム１０の下部１１は、上パイプ部１１ａと、上パイプ部１１ａがスライド可能に挿入された下パイプ部１１ｂと、下パイプ部１１ｂの下端部に設けられた滑り止めキャップ１１ｃとを有している。上パイプ部１１ａは、中途部１２および上部１３と一体的に形成されている。本実施形態では、左右の第１フレーム１０の上パイプ部１１ａ、中途部１２、上部１３、および横フレーム１９が、１本のアルミニウム製のパイプによって形成されている。ただし、それらは複数の部材が組み立てられることによって形成されていてもよい。
【００４４】
下パイプ部１１ｂは上パイプ部１１ａに対してスライド可能であり、上パイプ部１１ａの下パイプ部１１ｂに対する挿入長さを調整することにより、下部１１の長さが調整可能である。すなわち、下部１１は伸縮可能である。上パイプ部１１ａには、径方向外向きに突出するピン１１ｄが設けられている。ピン１１ｄは、上パイプ部１１ａの内部から径方向外向きに付勢されている。図３に示すように、下パイプ部１１ｂには上下に並ぶ複数の孔１１ｅが形成されており、ピン１１ｄは孔１１ｅに挿通可能となっている。いずれかの孔１１ｅに挿通しているピン１１ｄを径方向内向きに押し込むと、ピン１１ｄが孔１１ｅから外れ、下パイプ部１１ｂは上パイプ部１１ａに対してスライド可能となる。下パイプ部１１ｂをスライドさせると、隣の孔１１ｅがピン１１ｄと同じ位置に移動し、径方向外向きの付勢力を受けているピン１１ｄは隣の孔１１ｅに嵌り込む。このようにして、下部１１の長さを変更することができる。このような作業を適宜繰り返すことにより、下部１１の長さを所望の長さに調整することができる。
【００４５】
左の第２フレーム２０と右の第２フレーム２０とは、左右対称の形状を有している。図５に示すように、第２フレーム２０は、後斜め下向きに延びる下部２１と、下部２１から前斜め上向きに延びる上部２２とを有している。下部２１は後脚を構成している。
【００４６】
開脚した状態のときに側方から見て、第１フレーム１０の中途部１２と第２フレーム２０の上部２２とは、Ｘ状に交差している。開脚した状態のときに側方から見て、第２フレーム２０の上部２２は水平線Ｈから傾いている。開脚した状態のときに側方から見て、第２フレーム２０の上部２２の水平線Ｈからの傾斜角度θ５は、下部２１の水平線Ｈからの傾斜角度θ４よりも小さい。
【００４７】
第２フレーム２０の下部２１は、上パイプ部２１ａと、上パイプ部２１ａがスライド可能に挿入された下パイプ部２１ｂと、下パイプ部２１ｂの下端部に設けられた滑り止めキャップ２１ｃとを有している。上パイプ部２１ａと上部２２とは、一体的に形成されている。本実施形態では、上パイプ部２１ａおよび上部２２は一本のアルミニウム製のパイプによって形成されている。ただし、それらは複数の部材が組み立てられることによって形成されていてもよい。
【００４８】
第２フレーム２０の下部２１も第１フレーム１０の下部１１と同様、伸縮可能であり、長さ調整が可能である。上パイプ部２１ａには径方向外向きに突出するピン２１ｄが設けられており、ピン２１ｄは上パイプ部２１ａの内部から径方向外向きに付勢されている。下パイプ部２１ｂには上下に並ぶ複数の孔２１ｅが形成されており（図２参照）、ピン２１ｄは孔２１ｅに挿通可能となっている。ピン２１ｄを挿通させる孔２１ｅを適宜に選択することにより、下部２１の長さを所望の長さに調整することができる。
【００４９】
図７に示すように、左の第１フレーム１０と右の第１フレーム１０との間には、連結バー６４および支持バー６１が架け渡されている。支持バー６１、連結バー６４は、それぞれ「第１水平軸」、「リンクバー」の一例である。連結バー６４および支持バー６１はいずれも、第１フレーム１０から左右方向に延びており、左の第１フレーム１０と右の第１フレーム１０とを連結している。支持バー６１は、連結バー６４の後斜め上方に配置されており、椅子１が開脚しているときに座部３０を支持するように構成されている。連結バー６４は、第１フレーム１０の下部１１に接続されていてもよく、中途部１２に接続されていてもよい。支持バー６１は、第１フレーム１０の中途部１２に接続されている。連結バー６４および支持バー６１は、中実の棒であってもよく、中空の棒であってもよい。以下に説明する他のバーについても同様である。
【００５０】
左の第２フレーム２０と右の第２フレーム２０との間には、連結バー６５および支持バー６２が架け渡されている。支持バー６２は、「第２水平軸」の一例である。連結バー６５および支持バー６２はいずれも、第２フレーム２０から左右方向に延びており、左の第２フレーム２０と右の第２フレーム２０とを連結している。支持バー６２は、連結バー６５の前斜め上方に配置されており、椅子１が開脚しているときに座部３０を支持するように構成されている。連結バー６５は、第２フレーム２０の下部２１に接続されていてもよく、上部２２に接続されていてもよい。支持バー６２は、第２フレーム２０の上部２２に接続されている。
【００５１】
座部３０の裏面には、左右一対の第１ブラケット３１が設けられている。第１ブラケット３１には、支持バー６２が回転自在に支持されている。そのため、座部３０は、第１ブラケット３１および支持バー６２を介して、第２フレーム２０に対して回転可能に構成されている。本実施形態では、ブラケット３１に貫通孔が形成されており、支持バー６２がブラケット３１を貫通している。ただし、ブラケット３１と支持バー６２とは互いに回転自在に係合していればよく、必ずしも支持バー６２がブラケット３１を貫通している必要はない。支持バー６２は、座部３０と第２フレーム２０とを回転自在に連結する「第２連結軸」の一例である。本実施形態では、支持バー６２は、「第２水平軸」と「第２連結軸」とを兼用している。ただし、「第２水平軸」と「第２連結軸」とは別々の部材であってもよい。
【００５２】
図５に示すように、第１フレーム１０の中途部１２と第２フレーム２０の上部２２とは、水平な第１連結軸７１によって相対回転自在に連結されている。第１連結軸７１は左右方向に延びている。第１フレーム１０の下部１１と第２フレーム２０の下部２１とが接近するように第１フレーム１０および第２フレーム２０を相対回転させることにより、椅子１を折り畳むことができる。逆に、第１フレーム１０の下部１１と第２フレーム２０の下部２１とが遠ざかるように第１フレーム１０および第２フレーム２０を相対回転させることにより、椅子１を開脚させることができる。
【００５３】
図７に示すように、座部３０の裏面には、第１ブラケット３１に加えて、左右一対の第２ブラケット３２が設けられている。第２ブラケット３２は、第１ブラケット３１よりも左右方向の中央側に配置されている。第２ブラケット３２には、左右方向に延びる連結軸３３が取り付けられている。連結軸３３は第２ブラケット３２に回転不能に固定されていてもよく、回転可能に支持されていてもよい。
【００５４】
連結軸３３と連結バー６４とは、リンク６６によって連結されている。連結軸３３は左右に一対設けられているので、リンク６６も左右に一対設けられている。リンク６６は、開脚している椅子１を折り畳むとき、および折り畳まれた椅子１を開脚するときに、第２フレーム２０に対する座部３０の回転と、第１連結軸７１回りの第１フレーム１０および第２フレーム２０の相対回転とを連動させる部材である。
【００５５】
図９はリンク６６の拡大図であり、図６のＡ部分に対応する。図９に示すように、リンク６６は、孔６８ａおよび孔６８ｂが形成された一端部６６ｂと、孔６７が形成された他端部６６ａと、一端部６６ｂと他端部６６ａとをつなぐリンク本体６６ｃとを有している。他端部６６ａの孔６７は、周囲が閉じられた孔である。一端部６６ｂの孔６８ａおよび孔６８ｂは、周囲の一部が開放された孔であり、連続している。リンク本体６６ｃは湾曲しており、リンク本体６６ｃには凹部６６ｄが形成されている。図９の仮想線は、椅子１が折り畳まれた状態のときの座部３０を表している。凹部６６ｄは、椅子１が折り畳まれた状態のときに側方から見て、座部３０の下部３０ｄと向かい合う位置に形成されている。椅子１が折り畳まれた状態のときに側方から見て、凹部６６ｄは座部３０の下部３０ｄと反対側に凹んでいる。本実施形態ではリンク６６は、合成樹脂により一体成形されている。ただし、リンク６６の材料は特に限定されない。また、リンク６６は必ずしも一体物でなくてもよい。
【００５６】
リンク６６の一端部６６ｂは連結バー６４に回転自在に接続され、リンク６６の他端部６６ａは連結軸３３に回転自在に接続されている。詳しくは、連結バー６４は孔６８ａに挿入され、連結軸３３は孔６７に挿入されている。
【００５７】
図８に示すように、座部３０の裏面には、左右一対の被支持部３４が設けられている。被支持部３４は、第１ブラケット３１および第２ブラケット３２よりも後方に配置されており、座部３０の裏面から突出している。被支持部３４は、椅子１が開脚したときに支持バー６１と接触し、支持バー６１に支持されるように構成されている。よって、椅子１が開脚したときに、座部３０は被支持部３４および支持バー６１を介して、第１フレーム１０に支持される。このように、支持バー６１が座部３０から離れていても、座部３０に被支持部３４を設けることにより、座部３０を第１フレーム１０で支持することができる。
【００５８】
また、図５に示すように、椅子１が開脚した状態のときに、第２フレーム２０の上部２２の一部２２ａは、座部３０から下方に離間している。以下、当該部分を離間部２２ａと称する。離間部２２ａの上には補強部材３５が設けられている。図６に示すように、補強部材３５は、第２フレーム２０の上部２２に沿うように湾曲した底部３５ａと、底部３５ａの後部から上方に突出した支持台部３５ｂとを有している。ただし、補強部材３５の形状は特に限定される訳ではない。図８に示すように、補強部材３５は、椅子１が開脚したときに支持バー６１と接触し、支持バー６１を支持するように構成されている。そのため、椅子１が開脚したときに、支持バー６１は補強部材３５を介して第２フレーム２０によって支持される。上述の通り、支持バー６１は、被支持部３４を介して座部３０を支持する。したがって、座部３０は、被支持部３４、支持バー６１、および補強部材３５を介して、第２フレーム２０に支持される。
【００５９】
また、座部３０の裏面には、操作ハンドル８０が取り付けられている。操作ハンドル８０は、把手８１と、支持バー６１に係合する左右一対のフック８３とを有している。把手８１の前方には、左右方向に延びる軸（図示せず）が設けられている。操作ハンドル８０は、上記軸により座部３０に回転自在に取り付けられている。したがって、操作ハンドル８０は、その前端部を中心として上記軸の回りに回転可能であり、上記軸よりも後方に位置する把手８１を上げ下げすることができる。把手８１が下方の位置にあると、フック８３が支持バー６１に係合し、把手８１を上方に持ち上げると、フック８３は支持バー６１から外れる。図示は省略するが、操作ハンドル８０には、把手８１が下方に向かうように操作ハンドル８０を付勢するバネが設けられている。すなわち、当該バネは、フック８３が支持バー６１に係合するように操作ハンドル８０を付勢している。椅子１が開脚した状態では、上記バネが操作ハンドル８０を付勢するので、フック８３と支持バー６１とが係合した状態に保たれる。そのため、操作ハンドル８０を操作しない限り、椅子１は折り畳まれない。よって、椅子１が開脚した状態のときに不意に折り畳まれてしまうことが防止される。
【００６０】
肘掛け５０は、左右の第１フレーム１０の上部１３に取り付けられている。図１に示すように、第１フレーム１０の上部１３には、前方に突出したブラケット１４が設けられている。ブラケット１４には、左右方向に延びる水平軸１６が設けられている。肘掛け５０は、水平軸１６に回転可能に取り付けられている。よって、肘掛け５０は、水平軸１６およびブラケット１４を介して、第１フレーム１０の上部１３に回転可能に取り付けられている。肘掛け５０は、先端部が前方に位置する水平な状態と、先端部が上方に位置する鉛直な状態との間で回転可能である。ただし、肘掛け５０の回転範囲は特に限定されない。
【００６１】
座部３０は、表側の面が座面として使用されるものである。座部３０の材料は特に限定されないが、本実施形態では、座部３０は合成樹脂製のブロー成形品である。図４に示すように、座部３０の後端部には前方に凹んだ凹部３０ａが形成されており、凹部３０ａの内側に把手３６が配置されている。把手３６は座部３０に固定されている。凹部３０ａは座部３０の左右方向の中央に形成されており、把手３６は操作ハンドル８０の把手８１（図８参照）の上方に位置している。そのため、利用者が把手３６および把手８１の両方を合わせて握ると、把手８１が上方に移動するように操作ハンドル８０が回転し、フック８３が支持バー６１から外れることとなる。
【００６２】
また、図１に示すように、座部３０の左後部および右後部には、左右方向の中央側に凹んだ凹部３０ｂが形成されている。椅子１が開脚した状態では肘掛け５０は座部３０から離れているが、椅子１を折り畳むときに座部３０の後端部を持ち上げるので、座部３０の左後部および右後部が肘掛け５０の側方を横切ることになる。座部３０に凹部３０ｂが形成されていることにより、椅子１を折り畳むときに座部３０が肘掛け５０と干渉することが確実に避けられる。
【００６３】
図３に示すように、背もたれ４０は横フレーム１９に取り付けられている。本実施形態では、背もたれ４０は横フレーム１９と別体であるが、背もたれ４０が横フレーム１９と一体であってもよい。背もたれ４０には孔４１が形成されている。利用者は、この孔４１に指を挿入して背もたれ４０を把持することにより、椅子１０を片手で持ち上げたり、片手で移動させることが可能である。図１に示すように、背もたれ４０の下端部には、上方に凹んだ凹部４２が形成されている。背もたれ４０の材料は何ら限定されないが、本実施形態では、背もたれ４０は合成樹脂製のブロー成形品である。
【００６４】
椅子１は、折り畳まれた状態を保持するロック機構７５を備えている。次に、ロック機構７５について説明する。ロック機構７５は、第２フレーム２０の上部２２から左右方向の中央側に突出するピン７６（図７参照）と、ピン７６と係合するように座部３０に固定されたプレート７７（図６参照）とを備えている。プレート７７には左右方向の中央側に延びる筒７８（図１０参照）が一体的に形成されており、この筒７８が第１ブラケット３１（図７参照）の孔に差し込まれることによって、座部３０に固定されている。筒７８の内部には、支持バー６２が挿入されている。プレート７７は、左側および右側の両方に設けられていてもよく、いずれか一方のみに設けられていてもよい。本実施形態では、プレート７７は右側のみに設けられている。なお、プレート７７が左側および右側のうちのいずれか一方のみに設けられている場合には、ピン７６も左側および右側の一方（プレート７７と同じ側）のみに設けられていてもよい。
【００６５】
図１０は、椅子１が図６の状態にあるときのプレート７７の拡大図である。図１０に示すように、プレート７７は、円弧部７７ａと、円弧部７７ａの一端側に設けられたストッパ部７７ｃと、円弧部７７ａの他端側に設けられたロック部７７ｂとを有している。ストッパ部７７ｃは、円弧部７７ａに対する段差であり、筒部７８の径方向外向きに延びている。ストッパ部７７ｃは、椅子１が開脚したときにピン７６と当接するように形成されている。椅子１の折り畳みに伴って座部３０は回転するため、プレート７７の姿勢も変化する。ストッパ部７７ｃは、椅子１が開脚した状態のときには円弧部７７ａの後方に位置し、椅子１が折り畳まれた状態のときには円弧部７７ａの上方に位置する。円弧部７７ａは、椅子１の折り畳みに伴ってピン７６が円弧部７７ａ上を摺動するように形成されている。円弧部７７ａは、座部３０が第２フレーム２０に対して回転するに伴って（言い換えると、椅子１の折り畳みまたは開脚に伴って）、ピン７６を案内する役割を果たす。ロック部７７ｂは、椅子１が開脚した状態のときには円弧部７７ａの前方に位置し、椅子１が折り畳まれた状態のときには円弧部７７ａの下方に位置する。ロック部７７ｂは、凹部７７ｂ１と、円弧部７７ａと凹部７７ｂ１との間に配置された凸部７７ｂ２とからなっている。凹部７７ｂ１は、椅子１が折り畳まれたときにピン７６が嵌り込むように形成されている。
【００６６】
開脚した椅子１を折り畳むと、座部３０は第２フレーム２０に対して回転する。第２フレーム２０に設けられたピン７６はストッパ部７７ｃから離れ、ロック部７７ｂに向けて円弧部７７ａ上を滑っていく。やがて、ピン７６はロック部７７ｂの凸部７７ｂ２を乗り越え、凹部７７ｂ１に嵌り込む。本実施形態に係る椅子１は、折り畳みが完了したときにピン７６が凹部７７ｂ１に嵌まり込むように構成されている。凹部７７ｂ１に嵌り込んだピン７６が円弧部７７ａに向かって凸部７７ｂ２を乗り越えるためには、ある程度の力が必要となる。そのため、ピン７６は凹部７７ｂ１内に保持される。よって、椅子１は折り畳まれた状態にロックされる。
【００６７】
折り畳まれた椅子１を開脚させると、凹部７７ｂ１内のピン７６が凸部７７ｂ２を乗り越え、円弧部７７ａに沿って移動してからストッパ部７７ｃに当接する。本実施形態に係る椅子１は、開脚したときにピン７６がストッパ部７７ｃと当接するように構成されている。ピン７６がストッパ部７７ｃに当接することにより、ピン７６のそれ以上の移動は規制される。よって、座部３０の回転が規制され、座部３０は水平な状態に保たれる（図５参照）。
【００６８】
以上が椅子１の構成である。次に、椅子１の折り畳み操作および開脚操作の一例について説明する。
【００６９】
椅子１の折り畳みおよび開脚の操作は片手で行うことができる。図５に示すように開脚した状態の椅子１を折り畳むときには、まず、肘掛け５０を跳ね上げ、肘掛け５０を水平な状態から鉛直な状態にする。次に、片方の手を背もたれ４０の前方を通るように座部３０の後端部に向けて下ろし、座部３０の把手３６および操作ハンドル８０の把手８１（図８参照）を掴む。そして、把手３６および把手８１を握る。すると、操作ハンドル８０が回転し、フック８３が支持バー６１から外れる。次に、把手３６および把手８１を持ち上げる。すると、座部３０は支持バー６２を中心として回転し、座部３０の後部が上方に移動する一方、座部３０の前部が下方に移動する。
【００７０】
図５に示すように座部３０の前部はリンク６６を介して連結バー６４に連結されているので、座部３０の前部が下方に移動すると、第１フレーム１０はリンク６６および連結バー６４から後斜め下向きの力を受ける。その結果、第１フレーム１０の下部１１と第２フレーム２０の下部２１とが接近するように、第１フレーム１０は第１連結軸７１を中心として回転する。また、椅子１を持ち上げると、第１フレーム１０および第２フレーム２０には自重が作用する。それらの自重によっても、第１フレーム１０および第２フレーム２０は第１連結軸７１を中心として相対回転する。その結果、椅子１は図６に示すように折り畳まれる。
【００７１】
上述の折り畳み動作の際に、座部３０の後端部は背もたれ４０の下端部の近傍を通過することになる。本実施形態に係る椅子１では、背もたれ４０の下端部に凹部４２（図１参照）が形成されており、把手３６および把手８１を握った手は、背もたれ４０の凹部４２の下方を通過する。そのため、背もたれ４０が邪魔になりにくく、折り畳み動作を円滑に行うことができる。
【００７２】
また、折り畳み動作の際に、座部３０の左後部および右後部が肘掛け５０の近傍を通過することになる。本実施形態に係る椅子１では、座部３０の左後部および右後部には凹部３０ｂが形成されており、それら凹部３０ｂが肘掛け５０の近傍を通過する。そのため、座部３０が肘掛け５０に干渉することがなく、折り畳み動作を円滑に行うことができる。
【００７３】
図１１（ａ）〜（ｅ）は、折り畳みのときの第１フレーム１０、第２フレーム２０、座部３０、およびリンク６６の動きを順に示す概念図である。図１１（ａ）は開脚した状態を表し、図１１（ｅ）は折り畳んだ状態を表す。図１１（ａ）〜（ｃ）に示すように、折り畳みに伴って連結軸３３は、支持バー６２と連結バー６４とを結ぶ線分９０に徐々に近づき、当該線分９０の長さは徐々に長くなる。これに伴い、第１フレーム１０の下端と第２フレーム２０の下端との間の距離（以下、フレーム間距離という）は、徐々に小さくなる。すなわち、Ａ１＞Ａ２＞Ａ３である。そして、図１１（ｄ）に示すように、連結軸３３が線分９０上に到達したときに、線分９０の長さは最大となり、フレーム間距離は最小となる。Ａ３＞Ａ４である。連結軸３３は更に移動し、図の左側から右側に向かって線分９０を横切る。すると、線分９０の長さは短くなり、フレーム間距離は大きくなる。すなわち、Ａ４＜Ａ５である。
【００７４】
このように、椅子１を側方から見たときの第１連結軸７１と支持バー６２と連結バー６４とを頂点とする三角形９０を考えた場合、椅子１の折り畳みに伴って、連結軸３３は三角形９１の外側から内側に移動する。図１１（ａ）に示すように、開脚した状態のときには連結軸３３は三角形９１の外側に位置し、図１１（ｅ）に示すように、折り畳まれた状態のときには連結軸３３は三角形９１の内側に位置する。
【００７５】
ところで、椅子１が折り畳まれた状態のときに上方から座部３０に力が加えられた場合、第１フレーム１０および第２フレーム２０には開脚するような力が作用する。すなわち、線分９０を短くするような力、言い換えると、連結軸３３が線分９０から遠ざかるような力が作用する。仮に、椅子１が折り畳まれた状態のときに連結軸３３が三角形９１の外側に位置していると（例えば図１１（ｃ）参照）、上方から座部３０に力が加えられた場合、連結軸３３が線分９０から左方に遠ざかるような力が作用するので、椅子１は開脚してしまう。
【００７６】
しかし、本実施形態に係る椅子１によれば、椅子１が折り畳まれた状態のときに連結軸３３は三角形９１の内側に位置する。そのため、仮に上方から座部３０に力が加えられた場合、椅子１には連結軸３３が線分９０から右方に遠ざかるような力が作用するが、連結軸３３の右方への移動は規制されるので、椅子１が開脚してしまうことがない。したがって、本実施形態に係る椅子１によれば、折り畳まれた状態のときに、意図せずに座部３０を上から押してしまった場合等に、椅子１が開脚してしまうことを防ぐことができる。
【００７７】
図６に示すように折り畳まれた椅子１を開脚するときには、利用者は、座部３０の把手３６および操作ハンドル８０の把手８１を掴んで後方へ引く。すると、前述の折り畳み動作と逆の動作が行われ、第１フレーム１０と第２フレーム２０とが第１連結軸７１を中心として相対回転する。その結果、椅子１は開脚する。なお、連結軸３３が三角形９１の内側から外側に移動した後は、座部３０を上から押さえることにより、椅子１は開脚する。そのため、座部３０の把手３６および操作ハンドル８０の把手８１を後方に引く動作は、連結軸３３が三角形９１の内側から外側に移動するまででよく、その後は、把手３６および把手８１を上から押さえることによって椅子１を容易に開脚させることができる。
【００７８】
以上のように、本実施形態に係る椅子１によれば、図５に示すように開脚した状態のときに側方から見て、第１フレーム１０の中途部１２は水平線Ｈから傾いている。そのため、第１フレーム１０の中途部１２が水平に延びる場合に比べて、図６に示すように折り畳んだ状態のときに、椅子１の前後幅を小さくすることができる。よって、非使用時に椅子１をコンパクトにすることができる。本実施形態に係る椅子１によれば、非使用時に邪魔にならず、狭い浴室内に置いておくことができる。
【００７９】
また、本実施形態に係る椅子１によれば、図５に示すように開脚した状態のときに側方から見て、第１連結軸７１が座部３０よりも下方に配置され、更に、第１フレーム１０の中途部１２の水平線Ｈからの傾斜角度θ２は、第１フレーム１０の下部１１の水平線Ｈからの傾斜角度θ１よりも小さく、かつ、第１フレーム１０の上部１３の水平線Ｈからの傾斜角度θ３よりも小さい。そのため、第１フレームの下部、中途部、および上部の水平線からの傾斜角度が等しい浴室用折り畳み椅子（図１２参照）に比べて、横移乗のときに第１フレーム１０の中途部１２が邪魔になりにくい。よって、横移乗が容易である。このように本実施形態によれば、横移乗が容易であり、折り畳んだときの前後幅が小さな椅子１を実現することができる。
【００８０】
また、本実施形態に係る椅子１によれば、図５に示すように開脚した状態のときに側方から見て、第２フレーム２０の上部２２は水平線Ｈから傾いている。そのため、第２フレームの上部が水平に延びる場合に比べて、折り畳んだ状態のときに椅子１の前後幅を小さくすることができる。
【００８１】
本実施形態に係る椅子１によれば、開脚した状態のときに側方から見て、第１フレーム１０の中途部１２と第２フレーム２０の上部２２とはＸ状に交差している。折り畳んだときの第１フレーム１０の前後幅および第２フレーム２０の前後幅を小さくすることができる。したがって、折り畳んだときの椅子１の前後幅を小さくすることができる。
【００８２】
また、本実施形態に係る椅子１によれば、図５に示すように開脚した状態のときに、第１フレーム１０の中途部１２は座部３よりも下方に位置する。そのため、横移乗のときに第１フレーム１０の中途部１２が邪魔になることがない。
【００８３】
本実施形態に係る椅子１によれば、第２フレーム２０の上部２２には、開脚した状態のときに座部３０から下方に離間する離間部２２ａが生じる。離間部２２ａは座部３０から下方に離間しているので、座部３０を直接支持することはできない。しかし、本実施形態に係る椅子１によれば、離間部２２ａの上には補強部材３５が設けられている。そのため、離間部２２ａは、補強部材３５を介して、座部３０を間接的に支持することができる。なお、本実施形態では、補強部材３５は支持バー６１を支持する（図７参照）。よって、離間部２２ａは、補強部材３５および支持バー６１を介して、座部３０を支持する。本実施形態に係る椅子１によれば、第１フレーム１０が支持バー６１を介して座部３０を支持し、かつ、第２フレーム２０が支持バー６２を介して座部３０を支持するだけでなく、第２フレーム２０が補強部材３５および支持バー６１を介して座部３０を支持することができる。したがって、座部３０をより安定して支持することができ、椅子１の安定性を向上させることができる。
【００８４】
なお、本実施形態では、補強部材３５は支持バー６１を支持するように構成されているが、補強部材３５は座部３０を直接支持するように構成されていてもよい。また、補強部材３５は、第１フレーム１０の中途部１２を支持するように構成されていてもよい。この場合であっても、座部３０をより安定して支持することができ、椅子１の安定性を向上させることができる。
【００８５】
本実施形態に係る椅子１は、リンク６６を備えている。そのため、座部３０の回転と、第１フレーム１０と第２フレーム２０との相対回転とを連動させることができる。よって、座部３０を回転させることにより、第１フレーム１０と第２フレーム２０とを相対回転させることができ、椅子１の折り畳みおよび開脚が可能となる。したがって、椅子１の折り畳みおよび開脚の操作が容易になる。
【００８６】
本実施形態に係る椅子１によれば、連結軸３３は、図１１（ａ）に示すように開脚した状態のときに側方から見て、第１連結軸７１と支持バー６２と連結バー６４とを頂点とする三角形９１の外側に位置する。一方、連結軸３３は、図１１（ｅ）に示すように折り畳んだ状態のときに側方から見て、三角形９１の内側に位置する。このことにより、上述したように、折り畳んだ状態のときに上方から座部３０に力が加わったとしても、椅子１が開脚してしまうことが防止される。よって、椅子１が意図せずに開脚することを防止することができる。
【００８７】
本実施形態に係る椅子１によれば、図９に示すようにリンク６６には、折り畳まれた状態のときに側方から見て、座部３０の下部３０ｄと反対側に凹んだ凹部６６ｄが形成されている。折り畳まれたときに座部３０の下部３０ｄがリンク６６の凹部６６ｄに入り込むことができるので、座部３０の下部３０ｄとリンク６６との干渉を避けることができる。よって、図６に示すように、椅子１を折り畳んだときの座部３０の姿勢をより鉛直に近づけることができる。したがって、折り畳んだときの椅子１の前後幅を更に小さくすることができる。
【００８８】
本実施形態に係る椅子１によれば、座部３０は、折り畳まれた状態のときに座部３０の座面が前方を向くように構成されている。本実施形態によれば、折り畳まれた状態のときに座部３０の座面が前方を向く椅子１において、前述の効果を得ることができる。
【００８９】
本実施形態に係る椅子１によれば、図１に示すように、背もたれ４０の下端部に、上方に凹んだ凹部４２が形成されている。そのため、利用者が座部３０の把手３６および操作ハンドル８０の把手８１を掴んで座部３０を回転させるときに、把手３６および把手８１を掴んだ手が背もたれ４０と干渉することを容易に避けることができる。よって、椅子１を円滑に折り畳むことができる。
【００９０】
本実施形態に係る椅子１によれば、背もたれ４０は、図６に示すように折り畳まれた状態のときに、座部３０の上端３０ｃが背もたれ４０の下端４０ｄよりも低くなるように構成されている。したがって、椅子１を折り畳んだときに座部３０と背もたれ４０とが干渉することを避けることができる。本実施形態に係る椅子１によれば、背もたれ４０に邪魔されることなく、折り畳んだときの座部３０の姿勢を鉛直に近づけることができる。したがって、折り畳んだときの椅子１の前後幅を更に小さくすることができる。
【００９１】
本実施形態に係る椅子１によれば、図６に示すように折り畳まれた状態のときに、座部３０は鉛直に延びるように構成されている。よって、折り畳んだときの座部３０の前後幅を小さくすることができ、折り畳んだときの椅子１の前後幅を小さくすることができる。また、折り畳んだときに、座部３０に付着した水が流れ落ちやすくなる。よって、座部３０の水切れ性を良くすることができる。
【００９２】
本実施形態に係る椅子１によれば、図４に示すように、座部３０の左後部および右後部に、座部３０の左右方向の中央側に凹み、折り畳みのときに肘掛け５０を逃がす凹部３０ｂが形成されている。よって、折り畳みのときに肘掛け５０が座部３０に干渉しないので、椅子１を円滑に折り畳むことができる。
【００９３】
本実施形態に係る椅子１によれば、第１フレーム１０の下部１１および第２フレーム２０の下部２１は、伸縮自在に形成されている。第１フレーム１０の下部１１および第２フレーム２０の下部２１を伸縮させることにより、座部３０の高さを調整することができる。よって、利用者の体格に応じて座部３０の高さを調整することにより、椅子１の利便性を向上させることができる。なお、本実施形態に係る椅子１は、図５に示すように開脚した状態のときに側方から見て、第１フレーム１０の下部１１の水平線Ｈからの傾斜角度θ１は、第１フレーム１０の中途部１２の水平線Ｈからの傾斜角度θ２よりも大きい。このように第１フレーム１０の下部１１の水平線Ｈからの傾斜角度θ１が大きいので、傾斜角度θ１が小さい場合と異なり、第１フレーム１０の下部１１を伸ばしたときに、椅子１の前後幅が大きくなることを避けることができる。
【００９４】
以上、本発明の一実施形態を説明したが、本発明は前記実施形態に限らず、他に種々の形態にて実施することができる。前記実施形態では、左右の第１フレーム１０は左右対称の形状を有していたが、左右の第１フレーム１０は左右非対称の形状を有していてもよい。左右の第２フレーム２０も左右非対称の形状を有していてもよい。
【００９５】
前記実施形態では、支持バー６１、支持バー６２、連結バー６４、および連結バー６５は、円柱状または円筒状に形成されている。しかし、支持バー６１、支持バー６２、連結バー６４、および連結バー６５の断面形状は円形に限らず、楕円形、四角形、六角形等であってもよい。支持バー６１、支持バー６２、連結バー６４、および連結バー６５の形状は何ら限定されない。
【００９６】
前記実施形態では、第１フレーム１０の下部１１および第２フレーム２０の下部２１は伸縮可能であったが、それらは伸縮不能であってもよい。
【符号の説明】
【００９７】
１      浴室用折り畳み椅子
１０    第１フレーム
２０    第２フレーム
３０    座部
３５    補強部材
６１    支持バー（第１水平軸）
６２    支持バー（第２水平軸、第２連結軸）
６４    連結バー（リンクバー）
６６    リンク
７１    第１連結軸
【図１】
2015217004.tif 000003
【図２】
2015217004.tif 000004
【図３】
2015217004.tif 000005
【図４】
2015217004.tif 000006
【図５】
2015217004.tif 000007
【図６】
2015217004.tif 000008
【図７】
2015217004.tif 000009
【図８】
2015217004.tif 000010
【図９】
2015217004.tif 000011
【図１０】
2015217004.tif 000012
【図１１】
2015217004.tif 000013
【図１２】
2015217004.tif 000014